(57)【要約】【課題】オブジェクトの選択における操作性の向上した情報処理装置を提供する。【解決手段】情報処理装置１００は、オブジェクトが表示される表示部１０４と、表示部１０４に表示されたインタフェースから入力操作をする際に使用するスタイラスペン２０２とを備えており、選択アイコン３０７によって、オブジェクトの選択の際に、既に選択されたオブジェクトの選択状態を解除するとともに新たに選択されたオブジェクトを選択状態にし、選択されたオブジェクトについて所定の画像再生表示を実行する操作モードとオブジェクトの選択の際に、既に選択状態に有るオブジェクトのうち再度選択されたものを除いて選択状態を維持するとともに、新たに選択されたオブジェクトを選択状態にする選択モードとを有し、操作モード及び選択モードのいずれか使用に適した方を選択できる。【選択図】      図２
2004152171.tif 000002
【特許請求の範囲】
【請求項１】
保存した画像データに基づいて、表示部にオブジェクトを表示するとともに該オブジェクトのうち選択されたものの画像を再生表示する情報処理装置において、
前記オブジェクトの選択の際に、既に選択されたオブジェクトの選択状態を解除するとともに新たに選択されたオブジェクトを選択状態にし、選択されたオブジェクトについて所定の画像再生表示を実行する第１の選択モードと、
前記オブジェクトの選択の際に、既に選択状態に有るオブジェクトのうち再度選択されたものを除いて選択状態を維持するとともに、新たに選択されたオブジェクトを選択状態にする第２の選択モードとを有し、前記第１の選択モード及び前記第２の選択モードのいずれか一方を選択するモード選択手段を備えることを特徴とする情報処理装置。
【請求項２】
前記オブジェクトを表示する表示形態は、前記選択によって編集の対象となった選択オブジェクトを示す第１の表示形態と、表示の対象となっているアクティブオブジェクトを示す第２の表示形態と、前記選択状態にない非選択オブジェクトを示す第３の表示形態と、前記選択オブジェクトと前記アクティブオブジェクトとが同一である場合を示す第４の表示形態であることを特徴とする請求項１記載の情報処理装置。
【請求項３】
前記オブジェクトが表示された表示部への接離によって前記オブジェクトを選択するペンを備えたことを特徴する請求項１又は２記載の情報処理装置。
【請求項４】
前記オブジェクトの複数が同時に前記表示部に表示されている場合に、前記複数のオブジェクト全てを特定の準に辿るルートであって、前記ペンが前記表示部に接触したペンダウン位置を始点とし、前記ペンが前記表示部から離れたペンアップ位置を終点とし、前記始点から終点まで辿る、範囲選択ルートを設定し、該範囲選択ルート上のオブジェクトを選択の範囲にする範囲選択手段を備えたことを特徴とする請求項３記載の情報処理装置。
【請求項５】
前記オブジェクトの複数が同時に前記表示部に表示されている場合に、前記ペンが前記表示部に接触したペンダウン位置を始点とし、前記ペンが前記表示部から離れたペンアップ位置を終点とし、前記始点から終点まで辿る前記ペンの軌跡が通るオブジェクトを選択の範囲にする軌跡範囲選択手段を有することを特徴とする請求項３記載の情報処理装置。
【請求項６】
前記オブジェクトを順次に表示するスライドショウの対象となるオブジェクトは、前記選択オブジェクトがあるときは選択オブジェクトのみであり、前記選択オブジェクトが無いときは前記表示部に表示されているオブジェクトと同一階層の全てのオブジェクトであることを特徴とする請求項１乃至５のいずれか１項に記載の情報処理装置。
【請求項７】
保存した画像データに基づいて、表示部にオブジェクトを表示するとともに該オブジェクトのうち選択されたものの画像を再生表示する情報処理装置におけるオブジェクト選択方法において、
前記オブジェクトの選択の際に、既に選択されたオブジェクトの選択状態を解除するとともに新たに選択されたオブジェクトを選択状態にし、選択されたオブジェクトについて所定の画像再生表示を実行する第１の選択モード実行ステップと、
前記オブジェクトの選択の際に、既に選択状態に有るオブジェクトのうち再度選択されたものを除いて選択状態を維持するとともに、新たに選択されたオブジェクトを選択状態にする第２の選択モード実行ステップと、
前記第１の選択モード実行ステップ及び前記第２の選択モード実行ステップのいずれか一方を選択する選択ステップを有することを特徴とするオブジェクト選択方法。
【請求項８】
前記オブジェクトを表示する表示形態は、前記選択によって編集の対象となった選択オブジェクトを示す第１の表示形態と、表示の対象となっているアクティブオブジェクトを示す第２の表示形態と、前記選択状態にない非選択オブジェクトを示す第３の表示形態と、前記選択オブジェクトと前記アクティブオブジェクトとが同一である場合を示す第４の表示形態であることを特徴とする請求項７記載のオブジェクト選択方法。
【請求項９】
前記オブジェクトの選択は、前記オブジェクトが表示された表示部へのペンの接離によることを特徴する請求項８記載のオブジェクト選択方法。
【請求項１０】
前記オブジェクトの複数が同時に前記表示部に表示されている場合に、前記複数のオブジェクト全てを特定の準に辿るルートであって、前記ペンが前記表示部に接触したペンダウン位置を始点とし、前記ペンが前記表示部から離れたペンアップ位置を終点とし、前記始点から終点まで辿る、範囲選択ルートを設定し、該範囲選択ルート上のオブジェクトを選択の範囲にする範囲選択ステップを備えたことを特徴とする請求項９記載のオブジェクト選択方法。
【請求項１１】
前記オブジェクトの複数が同時に前記表示部に表示されている場合に、前記ペンが前記表示部に接触したペンダウン位置を始点とし、前記ペンが前記表示部から離れたペンアップ位置を終点とし、前記始点から終点まで辿る前記ペンの軌跡が通るオブジェクトを選択の範囲にする軌跡範囲選択ステップを有することを特徴とする請求項９記載のオブジェクト選択方法。
【請求項１２】
前記オブジェクトを順次に表示するスライドショウの対象となるオブジェクトは、前記選択オブジェクトがあるときは選択オブジェクトのみであり、前記選択オブジェクトが無いときは前記表示部に表示されているオブジェクトと同一階層の全てのオブジェクトであることを特徴とする請求項７乃至１１のいずれか１項に記載のオブジェクト選択方法。
【請求項１３】
請求項７乃至１２のいずれか１項に記載のオブジェクト選択方法をコンピュータに実行させることを特徴とするオブジェクト選択プログラム。
【請求項１４】
コンピュータ読取り可能な記録媒体において、請求項１３記載のオブジェクト選択プログラムが格納され、該オブジェクト選択プログラムをコンピュータに実行させることを特徴とする記録媒体。
【発明の詳細な説明】
【０００１】
【発明の属する技術分野】
保存した画像データに基づいて、表示部にオブジェクトを表示するとともに該オブジェクトのうち選択されたものの画像を再生表示する情報処理装置、該情報処理装置におけるオブジェクト選択方法、オブジェクト選択プログラム、及び記録媒体に関する。
【０００２】
【従来の技術】
近年、デジタルカメラやＰＤＡ（Ｐｅｒｓｏｎａｌ  Ｄｉｇｉｔａｌ  Ａｓｓｉｓｔａｎｔ：携帯情報端末）、携帯電話等の携帯型情報処理装置で静止画や動画等のコンテンツを再生表示したり、編集加工したりする利用方法が普及しつつある。例えば、「サムネイル」と呼ばれる縮小画像を携帯型情報処理装置の表示画面に一覧表示し、表示されたサムネイルの中から選択されたサムネイルに対応するコンテンツを拡大して再生表示したり、コンテンツの編集や加工を行ったり、スライドショウの再生を行ったり、更にはコンテンツを電子メールに添付して通信回線を介して第三者へ送信したりすることも可能になっている。
【０００３】
これら小型の情報処理装置は、主にモバイル環境下での利用を想定している為に、キー（ボタン）やジョグダイヤル、ペンなどが主な入力操作手段に用いられている。
【０００４】
情報処理装置としてＰＤＡを例にとり、ペンで操作する場合を考えると、表示画面上に表示された複数のオブジェクトの中から操作対象を選択するためには、これまで、１）選択したいオブジェクトをペンでタップする、２）オブジェクト上でペンをタップ＆ホールドする、すなわち、ペンを接触させたまま同位置で保持することでメニューを表示させ、表示させたメニューの中から「選択」などの機能を選ぶ、といった方法が採られていた。
【０００５】
ところが、特に複数のオブジェクトを操作対象に選択しようとする場合、１）の方法では、オブジェクトを選択した後に新たなオブジェクト上でタップすると、それまでに選択されていた選択状態が解除されてしまい、複数のオブジェクトを同時に選択しておくことができないという問題があった。また、２）の方法では、図２０に示すようにタップ＆ホールドしてメニューを表示させて、そこから機能を選ぶといった操作を複数回繰り返さねばならず、時間がかかる上に操作性が悪いという問題がある。
【０００６】
画面に一覧表示された複数のオブジェクトの中から任意のオブジェクトを選択する為の１つの手段としては、マイクロソフト社のＷｉｎｄｏｗｓ（登録商標）オペレーティングシステムで実現されているマウスによる選択操作が広く知られている。これによれば、マウスのクリックで単一のオブジェクトを選択できる他、キーボード上のＳｈｉｆｔキーやＣｔｒｌキーの操作を併せて行うことによって複数のオブジェクトを選択することも可能である。しかしながらこの方法は、主にデスクトップ環境下で利用されるパーソナルコンピュータでの選択操作を想定したものであり、片手で機器を持ちながらもう一方の手で操作する、或いは片方の手だけで機器の保持と操作とを行うような小さい携帯型情報処理装置にはそのまま流用することは難しい。
【０００７】
そこで、携帯機器であるデジタルビデオカメラでは、カーソルキーとＥｎｔｅｒキーを使って複数のサムネイルを連続又は非連続に選択し、選択したサムネイルに対応する映像を再生表示する技術が考案されている（例えば、特許文献１参照）。
【０００８】
【特許文献１】
特開２００１−２３１０１４号公報
【０００９】
【発明が解決しようとする課題】
しかしながら、特許文献１に記載されたような技術は、機器サイズが小さいことに起因する操作上の制限が考慮されてはいるものの、前述した１）のペンによる選択操作の問題点の解決には至っていない。
【００１０】
本発明の目的は、オブジェクトの選択における操作性の向上した情報処理装置を提供することにある。
【００１１】
【課題を解決するための手段】
上記目的を達成するために、請求項１の情報処理装置は、保存した画像データに基づいて、表示部にオブジェクトを表示するとともに該オブジェクトのうち選択されたものの画像を再生表示する情報処理装置において、前記オブジェクトの選択の際に、既に選択されたオブジェクトの選択状態を解除するとともに新たに選択されたオブジェクトを選択状態にし、選択されたオブジェクトについて所定の画像再生表示を実行する第１の選択モードと、前記オブジェクトの選択の際に、既に選択状態に有るオブジェクトのうち再度選択されたものを除いて選択状態を維持するとともに、新たに選択されたオブジェクトを選択状態にする第２の選択モードとを有し、前記第１の選択モード及び前記第２の選択モードのいずれか一方を選択するモード選択手段を備えることを特徴とする。
【００１２】
請求項２の情報処理装置は、請求項１記載の情報処理装置において、前記オブジェクトを表示する表示形態は、前記選択によって編集の対象となった選択オブジェクトを示す第１の表示形態と、表示の対象となっているアクティブオブジェクトを示す第２の表示形態と、前記選択状態にない非選択オブジェクトを示す第３の表示形態と、前記選択オブジェクトと前記アクティブオブジェクトとが同一である場合を示す第４の表示形態であることを特徴とする。
【００１３】
請求項３の情報処理装置は、請求項１又は２記載の情報処理装置において、前記オブジェクトが表示された表示部への接離によって前記オブジェクトを選択するペンを備えたことを特徴する。
【００１４】
請求項４の情報処理装置は、請求項３記載の情報処理装置において、前記オブジェクトの複数が同時に前記表示部に表示されている場合に、前記複数のオブジェクト全てを特定の準に辿るルートであって、前記ペンが前記表示部に接触したペンダウン位置を始点とし、前記ペンが前記表示部から離れたペンアップ位置を終点とし、前記始点から終点まで辿る、範囲選択ルートを設定し、該範囲選択ルート上のオブジェクトを選択の範囲にする範囲選択手段を備えたことを特徴とする。
【００１５】
請求項５の情報処理装置は、請求項３記載の情報処理装置において、前記オブジェクトの複数が同時に前記表示部に表示されている場合に、前記ペンが前記表示部に接触したペンダウン位置を始点とし、前記ペンが前記表示部から離れたペンアップ位置を終点とし、前記始点から終点まで辿る前記ペンの軌跡が通るオブジェクトを選択の範囲にする軌跡範囲選択手段を有することを特徴とする。
【００１６】
請求項６の情報処理装置は、請求項１乃至５のいずれか１項に記載の情報処理装置において、前記オブジェクトを順次に表示するスライドショウの対象となるオブジェクトは、前記選択オブジェクトがあるときは選択オブジェクトのみであり、前記選択オブジェクトが無いときは前記表示部に表示されているオブジェクトと同一階層の全てのオブジェクトであることを特徴とする。
【００１７】
上記目的を達成するために、請求項７のオブジェクト選択方法は、保存した画像データに基づいて、表示部にオブジェクトを表示するとともに該オブジェクトのうち選択されたものの画像を再生表示する情報処理装置におけるオブジェクト選択方法において、前記オブジェクトの選択の際に、既に選択されたオブジェクトの選択状態を解除するとともに新たに選択されたオブジェクトを選択状態にし、選択されたオブジェクトについて所定の画像再生表示を実行する第１の選択モード実行ステップと、前記オブジェクトの選択の際に、既に選択状態に有るオブジェクトのうち再度選択されたものを除いて選択状態を維持するとともに、新たに選択されたオブジェクトを選択状態にする第２の選択モード実行ステップと、前記第１の選択モード実行ステップ及び前記第２の選択モード実行ステップのいずれか一方を選択する選択ステップを有することを特徴とするオブジェクト選択方法。
【００１８】
請求項８のオブジェクト選択方法は、請求項７記載のオブジェクト選択方法において、前記オブジェクトを表示する表示形態は、前記選択によって編集の対象となった選択オブジェクトを示す第１の表示形態と、表示の対象となっているアクティブオブジェクトを示す第２の表示形態と、前記選択状態にない非選択オブジェクトを示す第３の表示形態と、前記選択オブジェクトと前記アクティブオブジェクトとが同一である場合を示す第４の表示形態であることを特徴とする。
【００１９】
請求項９のオブジェクト選択方法は、請求項８記載のオブジェクト選択方法において、前記オブジェクトの選択は、前記オブジェクトが表示された表示部へのペンの接離によることを特徴する。
【００２０】
請求項１０のオブジェクト選択方法は、請求項９記載のオブジェクト選択方法において、前記オブジェクトの複数が同時に前記表示部に表示されている場合に、前記複数のオブジェクト全てを特定の準に辿るルートであって、前記ペンが前記表示部に接触したペンダウン位置を始点とし、前記ペンが前記表示部から離れたペンアップ位置を終点とし、前記始点から終点まで辿る、範囲選択ルートを設定し、該範囲選択ルート上のオブジェクトを選択の範囲にする範囲選択ステップを備えたことを特徴とする。
【００２１】
請求項１１のオブジェクト選択方法は、請求項９記載のオブジェクト選択方法において、前記オブジェクトの複数が同時に前記表示部に表示されている場合に、前記ペンが前記表示部に接触したペンダウン位置を始点とし、前記ペンが前記表示部から離れたペンアップ位置を終点とし、前記始点から終点まで辿る前記ペンの軌跡が通るオブジェクトを選択の範囲にする軌跡範囲選択ステップを有することを特徴とする。
【００２２】
請求項１２のオブジェクト選択方法は、請求項７乃至１１のいずれか１項に記載のオブジェクト選択方法において、前記オブジェクトを順次に表示するスライドショウの対象となるオブジェクトは、前記選択オブジェクトがあるときは選択オブジェクトのみであり、前記選択オブジェクトが無いときは前記表示部に表示されているオブジェクトと同一階層の全てのオブジェクトであることを特徴とする。
【００２３】
上記目的を達成するために、請求項１３のオブジェクト選択プログラムは、請求項７乃至１２のいずれか１項に記載のオブジェクト選択方法をコンピュータに実行させることを特徴とする。
【００２４】
上記目的を達成するために、請求項１４の記録媒体は、コンピュータ読取り可能な記録媒体において、請求項１３記載のオブジェクト選択プログラムが格納され、該オブジェクト選択プログラムをコンピュータに実行させることを特徴とする。
【００２５】
【発明の実施の形態】
（第１の実施の形態）
図１は本発明の第１の実施の形態に係る情報処理装置のハードウェア構成を示すブロック図である。図２は、図１の情報処理装置の全体を示す斜視図である。
【００２６】
図１及び図２に示す情報処理装置１００はＰＤＡ（Ｐｅｒｓｏｎａｌ  Ｄｉｇｉｔａｌ  Ａｓｓｉｓｔａｎｔ：携帯情報端末）である。なお、情報処理装置はＰＤＡに限らずデジタルカメラや携帯電話等の携帯型情報処理装置であってもよい。
【００２７】
図１に示すように、ＰＤＡ１００は、ＣＰＵ１０１と、ＲＯＭ１０２と、ＲＡＭ１０３と、表示部１０４と、入力部１０５と、メディア交換型記録部１０６と、ネットワーク／通信部１０７と、カメラ部１０８とを備え、それらがシステムバス１０９を介して互いに接続されている。
【００２８】
ＣＰＵ１０１は、ＲＯＭ１０２に格納された所定のプログラムを実行することによってＰＤＡ１００を全体的に制御する。この所定のプログラムはＲＡＭ１０３に一時的に格納される。また、ＲＡＭ１０３にはデータも一時的に格納される。
【００２９】
表示部１０４は、本体の前面に設けられており（図２参照）、画像を表示するのみでなく、各種の入出力用のユーザインタフェースを提供する。
【００３０】
入力部１０５は、後述するジョグダイヤル２０１、スタイラスペン２０２、キー（ボタン）２０３，２０４、不図示のキーボードなどから構成されており、データの入力やモードの切替えなど、ＰＤＡ１００のユーザからの指示をＣＰＵ１０１に伝える為に使用される入力インタフェースである。
【００３１】
メディア交換型記憶部１０６は、不図示のカードメディアに記憶した画像データやプログラムをＰＤＡ１００で利用する為に使用するインタフェースである。このメディア交換型記憶部１０６は、コンパクトフラッシュ（登録商標）カードやその他の異なる種類のカードメディア規格に対応するように複数のインタフェースを備えても良い。
【００３２】
ネットワーク／通信部１０７は、移動体通信・移動体電話との通信機能及び無線ＬＡＮ、Ｂｌｕｅｔｏｏｔｈ（商標）などのワイアレスによるネットワーク接続機能を提供する。さらに、有線ＬＡＮ、ＵＳＢ等の有線でのネットワーク接続／通信機能を提供して、外部とのデータ授受を実現する。ネットワーク／通信部１０７は、これらのうちの一部の機能だけを備えても良いし、またこれに限定されず他の機能を備えても良い。
【００３３】
カメラ部１０８は画像撮影機能を有するデジタルカメラユニットである。このカメラ部１０８とネットワーク／通信部１０７の各種機能とはＰＤＡ１００に内蔵してあるが、メディア交換型記録部１０６と共通の拡張インタフェースを介して必要に応じて必要な機能を組み込む形態であってもよい。また、本体の前面にレンズを配置した例を示したが、レンズを本体の背面に配置してもよい。また、ＰＤＡ１００の本体に回転可能に装着してもよい。
【００３４】
図２に示すジョグダイヤル２０１は、円盤状のダイヤルであり、円盤の中心線を中心に回転可能であるとともにダイヤルの周縁から中心線に向かう方向の力によって同方向に変位可能であり、回転と変位の操作によって片手で入力処理を実行することができる。ジョグダイヤル２０１は装置側面に１つだけ配置されたものを例示したが、前面に配置してもよい。また、複数個のジョグダイヤルを配置してもよい。
【００３５】
スタイラスペン２０２は表示部１０４に表示されたインタフェースから入力操作をする際に使用するものであり、表示部１０４上でのタップ操作によって入力処理を行うことができる。表示部１０４の下方には４つのキー２０３が間に方向指示／実行キー２０４を挟んで一列に配設されており、これらのキー２０３を押下操作することによって入力処理が実行される。例えば、アプリケーションの切替えや後述するモードの切替えの際に使用する。方向指示／実行キー２０４は上下左右の方向指示と、指示位置での確定（Ｅｎｔｅｒ）を行う際に使用される。上下左右の各矢印部分は、押すと、方向指示／実行キー２０４の中心を支点にして押下することができる。また、中心部を押した場合には、中心部の中心線方向に押下することができ、この操作によって確定を行うことができる。
【００３６】
なお、ＰＤＡ１００は不図示の電源スイッチ、電池ボックス、スタイラス収納部等を備えている。
【００３７】
次に、表示部１０４に表示される画面の例を説明する。
【００３８】
図３は、サムネイル画像の一覧表示の画面を示す図である。図４は、３枚のサムネイル画像とさらにその内の１枚を拡大した拡大画像とを表示した画面を示す図である。なお、両図に共通する項目等には同一符号を付してある。
【００３９】
図３に示すサムネイル表示領域３０１には９枚のサムネイル画像が表示されており、サムネイル画像はイメージ領域３０２とタイトル領域３０３との２つの小域から構成されている。イメージ領域３０２には、表示対象となったコンテンツの縮小画像が生成されて表示されている。タイトル領域３０３にはイメージ領域３０２に表示された画像データのファイル名が表示されている。
【００４０】
サムネイル表示領域３０１に表示された９枚のサムネイル画像のうち、「選択状態」にあるサムネイル画像と「アクティブ状態」にあるサムネイル画像とは、色彩の相違、囲い枠の有無などで他のサムネイル画像とは識別できるように表示される。図３に示すサムネイル画像の中で、左の最上位に有るサムネイル画像及び図４に示す左のサムネイル画像が「選択状態」かつ「アクティブ状態」にある。これら、「選択状態」及び「アクティブ状態」については後述する。
【００４１】
図３に図示した「サムネイル一覧」の画面と図４に図示した「サムネイル＋拡大画像（１枚）」の画面とは、アイコン領域の「表示モード」アイコン３０６をタップすることで何れの画面からも他の画面に切り替えることができる。また、図３で表示されたサムネイル画像のうちの１つをタップすることによっても、「サムネイル一覧」の画面から「サムネイル＋拡大画像（１枚）」の画面に切り替えることができる。選択アイコン３０７（モード選択手段）は「選択モード」のＯｎ／Ｏｆｆを切り替えるためのアイコンである。「選択モード」の詳細については後述する。
【００４２】
図３及び図４に図示したどちらの画面においても、表示し切れないサムネイル画像が存在する場合には、スクロールバー３０８を使って画面をスクロールさせることによって表示されるサムネイル画像を入れ替えることができ、これにより、ユーザは全てのサムネイル画像を見ることができる。
【００４３】
図３では、３行×３列の格子状にサムネイル画像を配列し、合計９つのサムネイル画像を同時に表示しているが、サムネイルの同時表示数や配列はこれに限定されず、２行×２列や４行×４列、２行×３列などでも良く、また、それらの配列を相互に変更できるようにしても良い。更に格子状の平面的な配置ではなく３次元的な配置であっても良い。また、サムネイルの同時表示数や表示位置に応じてサムネイルサイズを変更するようにしても良い。
【００４４】
表示モードは図３に示した「サムネイル一覧」モードと図４に示した「サムネイル＋拡大画像（１枚）」モードとの２つのモードの他に、選択されたサムネイル画像に対応するコンテンツを１つだけ拡大表示する「１枚表示」モードを加えてもよい。この場合、アイコン領域３０５の「表示モード」アイコン３０６に対するタップ操作によって、これら３つのモードを順次に切替えるようにしても良いし、「サムネイル＋拡大画像（１枚）」モード及び「１枚表示」モードのどちらか一方を予め設定画面などで設定しておき、「表示モード」アイコン３０６をタップすることにより、「サムネイル一覧」モードと設定した表示との何れか一方のモードを切替えられるようにしても良い。
【００４５】
次に、サムネイル（以下、オブジェクトと記す。）の「選択状態」及び「アクティブ状態」の識別表示について、図５及び図６を参照しながら説明する。
【００４６】
図５は、オブジェクトの「選択状態」及び「アクティブ状態」の識別表示を例示する図であり、（ａ）は、「選択状態」にあるオブジェクトと「アクティブ状態」にあるオブジェクトとが同一である場合を示し、（ｂ）は、「選択状態」にあるオブジェクトが複数存在し、そのうちの１つが「アクティブ状態」にもある場合を示し、（ｃ）は、「選択状態」にあるオブジェクトと「アクティブ状態」にあるオブジェクトとが夫々１つずつ別々に存在する場合を示す。
【００４７】
図６は、オブジェクトの「選択状態」及び「アクティブ状態」の識別表示を例示する図であり、（ａ）は、「アクティブ状態」にあるオブジェクトを立体表示で識別表示した例を示し、（ｂ）は「非選択状態」にあるオブジェクトを低輝度表示させた例を示し、（ｃ）はオブジェクトのタイトル領域の表示を省略した場合を示す。
【００４８】
なお、以降の説明では、「選択状態」にあるオブジェクトを「選択オブジェクト」と、「アクティブ状態」にあるオブジェクトを「アクティブオブジェクト」と呼ぶものとする。また、それ以外の「非選択状態」にあるオブジェクトを「非選択オブジェクト」と呼ぶ場合がある。
【００４９】
上記の「選択オブジェクト」とは、削除、加工、回転、反転など複数の編集機能を実行できる対象となっているオブジェクトをいう。スライドショウの再生対象となっているオブジェクトも「選択オブジェクト」に含まれる。
【００５０】
一方、現在のアクティブ位置（フォーカス位置）にあるオブジェクトが「アクティブオブジェクト」である。「アクティブオブジェクト」は、現在の表示対象、或いは表示開始位置に相当するもので同一階層に１つだけ必ず存在する。「アクティブオブジェクト」と「選択オブジェクト」とはそれぞれ識別可能に表示される。図４のイメージ領域４０１に表示される画像は、この「アクティブオブジェクト」であるサムネイルに対応する画像である。
【００５１】
図５の（ａ）では、最も左に位置するオブジェクトが選択オブジェクトであり、かつ、アクティブオブジェクトでもある。選択オブジェクトであることが特殊な背景色によって示されており、アクティブオブジェクトであることが点線枠とタイトル領域（ファイル名）の反転表示（白抜き表示）とによって示されている。このように選択オブジェクトとアクティブオブジェクトとが同一のオブジェクトである場合でも、夫々異なる表示をすることによってオブジェクトの状態を明確に識別表示することができる。中央及び右のオブジェクトは特殊な背景色による表示及び点線枠とタイトル領域の反転とによる表示のいずれも成されていないので、選択オブジェクト及びアクティブオブジェクトのいずれでもない非選択オブジェクトであることが分かる。
【００５２】
図５の（ｂ）では、（ａ）に示したように左のオブジェクトが選択オブジェクトであるとともにアクティブオブジェクトであり、さらに、右のオブジェクトが選択オブジェクトである。この右のオブジェクトは特殊な背景色によって示されているのみであるので選択オブジェクトであることが明確に分かる。また、中央のオブジェクトは特殊な背景色による表示及び点線枠とタイトル領域の反転とによる表示のいずれもなされていないので、非選択オブジェクトであることが分かる。
【００５３】
図５の（ｃ）では、左のオブジェクトが特殊な背景色によって示されているのみであり、選択オブジェクトであることがわかる。また、中央のオブジェクトは特殊な背景色による表示及び点線枠とタイトル領域の反転とによる表示のいずれもなされていないので、非選択オブジェクトであることが分かる。さらに、右のオブジェクトは点線枠とタイトル領域の反転とによる表示がなされているので、アクティブオブジェクトであることが分かる。
【００５４】
以上の説明では、選択オブジェクトとアクティブオブジェクトを、夫々、特殊な背景色による表示、点線枠とタイトル領域の反転による表示とで識別表示したが、以下でその変形例を説明する。
【００５５】
図６の（ａ）では、アクティブオブジェクトが浮き上がって見えるように立体表示で識別表示されている。選択オブジェクトの識別表示は上述した表示と同様に表示されている。本例では図５の（ａ）と同様に、左のオブジェクトが選択オブジェクトであり、かつ、アクティブオブジェクトでもある。また、中央及び右のオブジェクトは非選択オブジェクトである。なお、立体表示については、本例の様に浮き上がらせるのではなく、逆に窪んで見えるように表示しても良い。
【００５６】
図６の（ｂ）では、図５の（ａ）と同様に、左のオブジェクトが選択オブジェクトであり、かつ、アクティブオブジェクトでもある。また、中央及び右のオブジェクトは非選択オブジェクトである。しかしながら、図５の（ａ）と異なるのは、中央及び右のオブジェクト非選択のオブジェクトが低輝度表示（或いはグレイアウト）されていることであり、これによって更に識別表示の効果が高まっている。
【００５７】
以上の識別表示は一例であって、識別表示はこれに限定されない。例えば、アクティブオブジェクトを示す囲い枠は実線であっても良いし、選択オブジェクトもアクティブオブジェクトと同様に囲い枠で識別表示する形態であっても良く、両方のオブジェクトが同一のオブジェクトである場合でも選択オブジェクトであり、かつ、アクティブオブジェクトであることが認識可能なものであれば良い。例えば、異なる彩色にする、実線と点線とで区別するなどの何れか一方、或いはそれらの組合せで表示することが効果的である。
【００５８】
また、オブジェクトであるサムネイル画像サイズが小さい場合（或いは、一度により多くのオブジェクトを表示させる場合）には、図６の（ｃ）の様に、タイトル領域（ファイル名）の表示を省略してもよい。
【００５９】
次に、ＰＤ０Ａ１００において、オブジェクトを選択する操作手順と、その場合の表示変化の様子を説明する。なお、以降の説明では、便宜上、各オブジェクトを正方形で表すこととし、「アクティブオブジェクト」は破線で囲むことで示し、また「選択オブジェクト」はハッチング（網掛け／斜線掛け）を付けることによって夫々を識別表示する。また、非選択オブジェクトは白抜きで表示する。
【００６０】
図７は、オブジェクトが表示された通常操作モードにおける、ペンのタップ操作によるオブジェクトの選択の様子を示す図であり、（ａ）は、表示対象となるオブジェクトが１つだけの場合を示し、（ｂ）は、表示対象となるオブジェクトが複数ある場合を示す。通常操作モードは、以下、操作モード（第１の操作モード）と略記する。
【００６１】
はじめに、コンテンツ再生用プログラムの起動直後（初期状態）における表示について説明する。
【００６２】
初期状態においては、選択オブジェクトは存在しない。（ａ）に示すように表示対象となる非選択オブジェクトが１つだけである状態Ａの場合には、このオブジェクトがアクティブオブジェクトとして状態Ｂのように識別表示される。
【００６３】
一方、（ｂ）に示すように表示対象となる非選択オブジェクトが複数ある場合には、状態Ｃのように最上位左のオブジェクトがアクティブオブジェクトとして識別表示される。これは、選択オブジェクトが存在しない状態では、アクティブ状態にするオブジェクトとして最上位左のオブジェクトを優先度が最も高いものとして設定してあるためである。従って、優先度が最も高いオブジェクトとして他のオブジェクトが設定されていれば、その設定されたオブジェクトがアクティブオブジェクトになる。
【００６４】
次に、ペン２０２のタップ操作でサムネイル画像を選択した場合の表示変化を説明する。
【００６５】
（ａ）に示すように表示対象となるオブジェクトが１つだけの場合には、状態Ａからタップ操作によってオブジェクトが選択されると、状態Ｂのようにアクティブオブジェクトの識別表示はそのままに選択オブジェクトであることを表示する識別表示（ハッチング）がなされる。更にオブジェクトのファイル形式に応じた所定の機能が実行される。所定の機能とは、例えば、オブジェクトが静止画であれば拡大表示され、動画であれば再生が開始される。
【００６６】
一方、（ｂ）に示すように表示対象となるオブジェクトが複数である場合、例えば３行×３列の９つである場合には、状態Ｃから３行×３列の中央のオブジェクトがタップされたときに、状態Ｄに示すようにアクティブ位置が中央のオブジェクトに移動すると共に、同オブジェクトが選択状態にもなってこの２つの状態が識別表示される。更に、状態Ｂと同様に、オブジェクトの形式に応じた所定の機能が実行される。
【００６７】
同じく表示対象となるオブジェクトが複数である場合には、既に複数のオブジェクトが選択状態にある状態Ｅから、タップ操作が行われると、状態Ｆの様に表示が切り替わる。つまりこの場合には、操作前の選択状態が全て解除され、新たにタップした位置のオブジェクトがアクティブ状態、かつ、選択状態にあることが識別表示される。所定の機能が実行される点については状態Ｂ及びＤの場合と同様である。状態Ｆから状態Ｇへの移行も上記の説明に準じる。
【００６８】
図８は、オブジェクトが表示された操作モードにおける、ペン２０２によるオブジェクトの範囲選択を示すものである。
【００６９】
最上位左のオブジェクトが選択オブジェクトであり、最上位右のオブジェクトが選択オブジェクトかつアクティブオブジェクトである状態Ａから、中央のオブジェクトでペンダウンして右斜め下方向へ最下位右のオブジェクトまでペンを移動すると、状態Ｂの様に複数のオブジェクトが選択される。このとき、最下位右のオブジェクト上でペンアップしているので、最下位右のオブジェクトがアクティブオブジェクトになる。この処理では、淡色矢印で示した範囲選択ルート上におけるペンダウン位置を始点とし、ペンアップ位置を終点とする範囲選択ルート上に有るオブジェクトが選択される。操作前の選択状態は全て解除される。この例における範囲選択ルートは、一部に不図示の部分が有るが、最上位左のオブジェクトから最上位右のオブジェクトに至り、最上位右のオブジェクトから中位左のオブジェクトに移って中位右のオブジェクトに至り、中位右のオブジェクトから最下位左のオブジェクトに移って最下位右のオブジェクト至っている。すなわち、各段は左のオブジェクトから右のオブジェクトへ、各段の右のオブジェクトから１つ下の段の左のオブジェクトへと範囲選択ルートがつながっている。
【００７０】
なお、範囲選択については、状態Ｃの様な変形例も考えられる。この処理では、ペンダウン位置を始点とし、ペンアップ位置を終点とする矩形領域が計算され、その矩形領域内のオブジェクトが選択される。ＰＤＡ１００は、状態Ｂ及びＣに示した双方の範囲選択方法を選択可能に実装しても良いし、一方のみを実装しても良い。
【００７１】
図９は、操作モードにおける、ペンの軌跡に沿ったオブジェクトの選択である「軌跡選択」の例を示す図である。
【００７２】
最上位左のオブジェクトが選択オブジェクトであり、最上位右のオブジェクトが選択オブジェクトかつアクティブオブジェクトである状態Ａから、ペン２０２を中央最上位のオブジェクトでペンダウンして、接触させたままで中位左のオブジェクト→さらに１行下の最下位中央のオブジェクト→中位右のオブジェクトと反時計回りにペンを移動した状態がＢであり、ペン２０２の軌跡が通った複数のオブジェクトが選択される。このとき、ペンアップ位置である中位右のオブジェクトがアクティブ状態になる。なお、操作前の選択状態は全て解除される。
【００７３】
状態Ｂでペンアップせずに再び最上位中央のオブジェクトにペンが戻ると、状態Ｃの様に最上位中央のオブジェクトの選択状態が解除される。この様に一度選択したオブジェクトをなぞり直すことで選択を解除することができる。なお、状態Ｃで、最上位中央のオブジェクトの位置でペンアップした場合には、その、ペンアップ位置がアクティブ状態になる。
【００７４】
上記で説明した「範囲選択」及び「軌跡選択」の２つの機能は、同一のペン操作で異なる選択方法を実現するものである。これらは予めどちらか一方を実行するよう設定しておくか、一方の機能を実行する場合は、所定のキーを押下しながらペン操作するようにする。また、「範囲選択」及び「軌跡選択」において、状態の変移を示す表示効果は、ペンアップ時に一括して施すようにしても良いし、常時にペン位置を監視して、ペンの移動に従ってリアルタイムに施すようにしても良い。或いは、メニューから選択して切り替えられるようにしても良い。
【００７５】
図１０は、操作モードにおける、全てのオブジェクトの選択又は選択解除を示す図であり、（ａ）は、対象となるオブジェクトがアクティブ状態にあるオブジェクト１つだけの場合を示し、（ｂ）は、対象となるオブジェクトが選択状態かつアクティブ状態にあるオブジェクト１つだけの場合を示し、（ｃ）は、対象となるオブジェクトが複数ある場合を示す。
【００７６】
ここでいう全てのオブジェクトとは同一階層にある全てのオブジェクトのことであり、それら全ての選択又は選択解除は「全て選択／全て選択解除」機能によって実行される。
【００７７】
「全て選択／全て選択解除」は図３及び図４に示すメニュー領域３０４に表示されるメニュー又はサムネイル表示領域３０１でペン２０２をタップ＆ホールドすることで表示されるタップ＆ホールドメニューから選択して実行する。なお、アイコン領域３０５に「全て選択／全て選択解除」用アイコンを設けても良い。
【００７８】
（ａ）、及び（ｂ）に示すように対象となるオブジェクトが１つだけの場合には、それぞれ状態Ａ→Ｂ、状態Ａ→Ｃ、状態Ｄ→Ｅ、状態Ｄ→Ｆに示す通り、１つのオブジェクトに対して選択状態／非選択状態が指示に応じて切り替わる。このとき、アクティブ状態は変動しない。
【００７９】
（ｃ）に示すように、対象となるオブジェクトが複数の場合、状態Ｇから全て選択が実行されると、状態Ｈのように全てのオブジェクトが選択状態となる。このとき、アクティブオブジェクトの位置は全て選択を実行する以前のままに識別表示される。上述の通り、同一階層の全てのオブジェクトが選択されるので、表示されていないオブジェクトがある場合にはそれらも選択される。
【００８０】
一方、状態Ｇから全て選択解除が実行されると、状態Ｉのように全てのオブジェクトが非選択状態になる。このときも、アクティブオブジェクトの位置は、操作前後で不動である。上述の通り、同一階層の全てのオブジェクトが選択解除されるので、表示されていないオブジェクトがある場合にはそれらも選択解除されることになる。
【００８１】
図１１は、操作モードにおける、通常操作とは異なるオブジェクトの選択を示す図であり、（ａ）は、対象となるオブジェクトが１つの場合を示し、（ｂ）は、対象となるオブジェクトが複数である場合の一例を示し、（ｃ）は、対象となるオブジェクトが複数である場合の他の例を示す。
【００８２】
図１１に示すオブジェクトの選択操作は、図２に示すキー２０３の１つを押下した状態でペン操作を行うことで実行される。
【００８３】
（ａ）に示すように、対象となるオブジェクトが１つの場合には、状態Ａからキー２０３を押下しながらペン２０２によるタップ操作でオブジェクトが選択されると、状態Ｂのようにアクティブオブジェクトの識別表示はそのままに選択オブジェクトの識別表示（ハッチング）が施される。ただし、通常のタップ操作とは異なり、所定の機能は実行されない。
【００８４】
（ｂ）に示すように、対象となるオブジェクトが複数の場合には、状態Ｃから３行×３列の中心のオブジェクトがキー２０３を押下しながらタップされた場合に、状態Ｄに示すようにアクティブ位置が中心のオブジェクトに移動すると共に、ハッチングを入れて示した範囲の複数のオブジェクトが選択状態となって識別表示される。即ち、操作前のアクティブ位置からタップ位置までが範囲指定されることになる。なお、対象となるオブジェクトが１つだけの場合と同様、所定の機能は実行されない。
【００８５】
一方、状態Ｃからキー２０３を押下しながら最上位中央のオブジェクトがタップされた場合には、状態Ｅの様に表示が切り替わる。すなわち、最上位中央のオブジェクトの選択状態が解除される。
【００８６】
また、（ｃ）に示すように、状態Ｆからキー２０３を押下しながら最上位左のオブジェクトがタップされた場合には、状態Ｇの様に最上位左のオブジェクトが選択状態になり、表示が切り替わる。これらは即ち、アクティブ位置でキー２０３を押下しながらタップした場合には、選択状態のＯｎ／Ｏｆｆの切り替えができることを意味している。なお、この場合も、所定の機能は実行されない。
【００８７】
操作するキーとしては、キー２０３の他に、ジョグダイヤル２０１、方向指示／実行キー２０４のいずれでも良いが、ＰＤＡ１００を保持した状態で押下し易い位置にあるキーであることが好ましい。どのキーに機能を割り当てるかは予め設定されている。
【００８８】
なお、上記で「操作前のアクティブ位置」からタップ位置までとした指定範囲は、「直近に選択された選択オブジェクト」からタップ位置までとしても良い。
【００８９】
図１２は、操作モードにおける、方向指示／実行キー２０４の操作によるアクティブ位置の変更を示す図である。
【００９０】
３行×３列の中央がアクティブ位置である状態Ａから、方向指示／実行キー２０４で右方向の移動を指示すると、中位右のオブジェクトへアクティブ位置が移動した状態Ｂになる。このとき、操作前後で選択状態は変化しない。これは、アクティブ位置が選択オブジェクトから別の選択オブジェクトへ、即ち、選択オブジェクト間を移動した為である。
【００９１】
一方、３行×３列の中央がアクティブ位置である状態Ｃから、方向指示／実行キー２０４で右方向の移動を指示すると、中位右のオブジェクトへアクティブ位置が移動した状態Ｄとなる。このとき、操作前に選択状態にあったオブジェクトの全ての選択が解除される。これは、アクティブ位置が選択オブジェクトから非選択オブジェクトへ移動した為である。
【００９２】
続いて、選択モードにおけるオブジェクトの選択操作について説明する。
【００９３】
図１３は、操作モードから選択モードに移行した際の表示を示す図である。
【００９４】
選択モード（第２の選択モード）は、図３及び図４に示した選択アイコン３０７のタップ、メニュー３０４、タップ＆ホールドメニュー（不図示）などから起動できる。
【００９５】
選択モードはオブジェクトの選択のみを行うモードであるので、その他のオブジェクトの加工等の編集、スライドショウ等の機能の実行は行えない。選択モードで不要（実行不能）となる機能に関するメニューやアイコンはグレイアウトして実行不能であることを明示することが好ましい。
【００９６】
なお、操作モード時と選択モード時とを簡明に確認できるように、図１８に示すように選択モード時には選択アイコン３０７が白抜きになるように切り替わる。これとともに、あるいはこれに代えてサムネイル表示領域３０１の背景色、メニュー領域３０４やアイコン領域３０５の色彩をモード毎に切り替えるような仕様であっても良い。
【００９７】
図１３に示すように、操作モードにある状態Ａから選択モードへ移行した状態Ｂの前後で、各オブジェクトの選択状態及びアクティブ状態は変化しない。
【００９８】
なお、操作モードへの復帰は、起動と同様に、図３及び図４の選択アイコン３０７のタップ、メニュー３０４、タップ＆ホールドメニューなどから指示できる。このとき、選択モード終了時の選択状態及びアクティブ状態は操作モードへ復帰後も保持される。
【００９９】
選択モードの起動は、上述した選択アイコン３０７のタップによる起動、メニュー３０４やタップ＆ホールドメニューなどからの起動の他に、ジョグダイヤル２０１、キー２０３、方向指示／実行キー２０４のいずれかの操作によっても起動できる。例えば、キーを押下している間だけ選択モードとなるようにしても良いし、キーを一定時間押すことでモードのＯｎ／Ｏｆｆができるようにしても良い。
【０１００】
図１４は、選択モードにおける、ペン２０２のタップ操作によるオブジェクトの選択にともなう表示の変化を示す図である。
【０１０１】
状態Ａにおいて３行×３列の中心のオブジェクトがタップされた場合には、状態Ｂに示すようにアクティブ位置が中心のオブジェクトに移動すると共に、同位置が選択状態となって識別表示される。このとき、操作前の選択状態が保持される。
【０１０２】
状態Ａから状態Ｃのように、最上位中位の選択オブジェクトがタップされた場合には、その選択状態が解除される。このとき、アクティブ位置は操作前の位置（「選択オブジェクト」上）から移動しない。
【０１０３】
状態Ｃから状態Ｄへの表示変化は上記した状態Ａから状態Ｂへの変化と同様であり、タップされた最下位右のオブジェクトがアクティブ位置になるとともに選択状態にもなる。
【０１０４】
この様に、選択モードにおいては、複数のオブジェクトを選択するにはタップを繰り返すだけで良いし、また選択状態を解除する場合にも解除したいオブジェクトをタップするだけで良い。
【０１０５】
図１５は、選択モードにおける、ペン２０２を使った「範囲選択」でオブジェクトを選択する際の表示の変化を示す図であり、（ａ）はその一例を示し、（ｂ）は他の例を示す。
【０１０６】
（ａ）における状態Ａから状態Ｂへの変移、及び状態Ａから状態Ｃへの変移は、操作前に選択状態にあったオブジェクトが操作後においても保持される他は、図８に示した操作モードにおける「範囲選択」と同様であるので詳細説明は省略する。
【０１０７】
（ｂ）における状態Ｄから状態Ｅへの変移、及び状態Ｄから状態Ｆへの変移の場合には、図８の操作モードにおける「範囲選択」とは異なり、選択範囲内のオブジェクトが選択状態であれば非選択状態に変わり、選択範囲内のオブジェクトが非選択状態であれば選択状態に変わる。この場合でも、操作対象範囲外のオブジェクトについては操作前の選択状態が保持される点は（ａ）と同様である。
【０１０８】
図１６は、選択モードにおける、ペン２０２を使った「軌跡選択」でオブジェクトを選択する場合の表示の変化を示す図である。操作前に選択状態にあったオブジェクトが操作後においても保持される他は、図９に示す操作モードにおける「軌跡選択」と同様であるので詳細説明は省略する。
【０１０９】
上述した「範囲選択」及び「軌跡選択」の２つの機能は、同一のペン操作で異なる選択方法を実現するものである。また、「範囲選択」及び「軌跡選択」において、状態の変移を示す表示効果は、ペンアップ時に一括して施すようにしても良いし、常時にペン位置を監視して、ペンの移動に従ってリアルタイムに施すようにしても良い。これらは予めどちらか一方を実行するよう設定しておくか、一方の機能を実行する場合は、所定のキーを押下しながらペン操作するようにする。或いは、メニューから選択して切り替えられるようにしても良い。
【０１１０】
図１７は、選択モードにおける、方向指示／実行キー２０４の操作でオブジェクトを選択する場合の表示の変化を示す図である。
【０１１１】
３行×３列の中心にある選択オブジェクトにアクティブ位置がある状態Ａから、方向指示／実行キー２０４で右方向に移動を指示すると、中位右のオブジェクトへアクティブ位置が移動する。このとき、アクティブ位置が選択オブジェクトから移るが、操作モードでの操作と異なり、操作前後で選択状態は変化しない（状態Ｂ）。この状態Ｂで方向指示／実行キー２０４の中央部を押下して実行を確定すると、アクティブ位置のオブジェクトが選択状態となった状態Ｃとなる。
【０１１２】
この状態Ｃの様に、選択オブジェクト上で方向指示／実行キー２０４で実行を確定すると、選択状態が解除され、状態Ｄとなる。すなわち、状態Ｃの１つ前の状態である状態Ｂに戻る。
【０１１３】
この様に、選択モードにおいては、方向指示／実行キー２０４で容易にアクティブ位置を移動させることができ、任意の位置で方向指示／実行キー２０４を押下することでオブジェクトの選択／選択解除が行える。これによって、ペンが使えないような使用環境下にあっても、容易にオブジェクトの選択が可能となる。
【０１１４】
以上のようにして、再生表示や、編集、加工、スライドショウの対象となるオブジェクトの選択を容易に行うことができる。
【０１１５】
ここで、スライドショウの実行方法について説明する。
【０１１６】
スライドショウは、図３及び図４に示したメニュー３０４、アイコン３０５、タップ＆ホールドメニュー（不図示）などから起動する。スライドショウの表示対象は選択オブジェクトの有無によって異なる。即ち、選択オブジェクトがある場合には選択オブジェクトだけが表示対象となり、選択オブジェクトが無い場合には、同一階層の全てのオブジェクトが表示対象になる。
【０１１７】
スライドショウの開始位置は、表示対象のオブジェクトのうち優先度が第１のものである。例えば、これまで述べてきた格子状の配列であれば、表示対象のオブジェクトの中で最上位左のオブジェクトから表示するように制御される。あるいは、スライドショウの開始位置をアクティブ位置にして、このアクティブ位置が表示対象のオブジェクトにない場合にのみ最上位左などの優先度が第１のオブジェクトからスライドショウを開始するようにしても良い。この他、撮影日やファイル名等の情報に基づいて決められた優先度の順番に従って表示されるようにしても良い。
【０１１８】
（第２の実施の形態）
本実施の形態にかかる情報法処理装置では、選択モードから操作モードへ復帰する場合に、表示画面上に選択オブジェクトのみを表示して操作の対象とする機能を追加する点が第１の実施の形態にかかる情報処理装置とは異なっている。
【０１１９】
図１９は、第２の実施の形態にかかる情報処理装置において、選択モードから操作モードへ復帰する際の画面表示の変化を示す図である。
【０１２０】
状態Ａは第１の実施の形態で説明した選択モードにおいて複数のオブジェクトを選択した状態と同じ状態である。なお、各選択オブジェクト上に付した数字は説明の都合上付したものであり、オブジェクトの中身を示すものではない。
【０１２１】
状態Ａにおいて操作モードへの復帰を指示すると、選択オブジェクトのみを順番に再配置して操作モードに復帰した状態Ｂとなる。
【０１２２】
状態Ｂにおいて非表示になっている非選択オブジェクトはＲＡＭ１０３又はメディア交換型記録部１０６から削除されるのではなく、表示対象から外されただけであるので、第１の実施の形態で説明した「全て選択解除」を実行することで再び表示される。
【０１２３】
また、状態Ｂにおいて非表示になっている非選択オブジェクトを再び表示させる方法として、状態Ａのように選択状態と非選択状態とを維持して再表示するようにしても良い。また、全てのオブジェクトを選択状態として表示するようにしても良い。
【０１２４】
状態Ｂでは画面上に選択オブジェクトのみが表示されているので、「サムネイル＋拡大画像（１枚）」モードや、不図示の「１枚表示」モードで、方法指示／実行キー２０４等の操作によって１枚ずつ順次に送りながら閲覧する場合でも、意図しない選択状態の解除といったトラブルは生じない。「サムネイル＋拡大画像（１枚）」モードでサムネイルをタップした場合も同様である。
【０１２５】
本実施の形態によれば、「サムネイル一覧」モードで閲覧する場合に、選択したオブジェクト、即ち、ユーザが関心を持っているオブジェクトだけが表示されるので余計なスクロール操作が不要であり、また、選択オブジェクトに対して行った編集や加工の内容を素早く確認できるなど使い勝手が格段に向上する。
【０１２６】
また、このように選択オブジェクトのみを表示した状態から、更に選択モードへ移行してオブジェクトを絞り込むようにすれば、多数のオブジェクトの中から段階的に必要なものだけを選択することができ、使い勝手がより向上する。
【０１２７】
なお、上記の各実施の形態においては、コンテンツが静止画の場合を例に説明したが、動画像であっても良い。コンテンツが動画像の場合には、先頭画像や代表画像を１つだけサムネイル表示させて静止画と同様に扱うこともできる。また、シーン毎の代表画像を複数サムネイル表示すれば、見たいシーンの検索や編集に利用することもできる。
【０１２８】
この他、オーディオやテキスト等のコンテンツをアイコン表示して同様に扱うことも勿論可能である。
【０１２９】
また、静止画、動画、オーディオ、テキストといったファイルの操作と同様に、こうしたファイルを納めたフォルダを選択することで、フォルダが内含するファイルを全て選択させるようにしても良い。
【０１３０】
本発明は、上述した実施の形態の機能を実現するソフトウェアのプログラムをコンピュータ又はＣＰＵに供給し、そのコンピュータ又はＣＰＵが該供給されたプログラムを読出して実行することによって、その目的を達成することができる。
【０１３１】
この場合、上記プログラムは、該プログラムを記録した記憶媒体から直接に供給されるか、又はインターネット、商用ネットワーク、若しくはローカルエリアネットワーク等に接続される不図示の他のコンピュータやデータベース等からダウンロードすることにより供給される。
【０１３２】
上記プログラムの形態は、オブジェクトコード、インタプリタにより実行されるプログラムコード、ＯＳ（オペレーティングシステム）に供給されるスクリプトデータ等の形態から成ってもよい。
【０１３３】
また、本発明は、上述した実施の形態の機能を実現するソフトウェアのプログラムを記憶した記憶媒体をコンピュータ又はＣＰＵに供給し、そのコンピュータ又はＣＰＵが記憶媒体に記憶されたプログラムを読出して実行することによっても、達成することができる。
【０１３４】
この場合、格納媒体から読出されたプログラムコード自体が上述した各実施の形態の機能を実現すると共に、そのプログラムコードを記憶した記憶媒体は本発明を構成する。
【０１３５】
プログラムコードを記憶する記憶媒体としては、例えば、ＲＯＭ、ＲＡＭ、ＮＶ−ＲＡＭ、フロッピー（登録商標）ディスク、ハードディスク、光ディスク（登録商標）、光磁気ディスク、ＣＤ−ＲＯＭ、ＭＯ、ＣＤ−Ｒ、ＣＤ−ＲＷ、ＤＶＤ−ＲＯＭ、ＤＶＤ−ＲＡＭ、ＤＶＤ−ＲＷ、ＤＶＤ＋ＲＷ、磁気テープ、不揮発性のメモリカード等がある。
【０１３６】
上述した実施の形態の機能は、コンピュータから読出されたプログラムコードを実行することによるばかりでなく、コンピュータ上で稼動するＯＳ等がプログラムコードの指示に基づいて実際の処理の一部又は全部を行うことによっても実現することができる。
【０１３７】
【発明の効果】
以上詳細に説明したように、請求項１記載の情報処理装置、請求項７記載のオブジェクト選択方法、請求項１３記載のオブジェクト選択プログラム、及び請求項１４記載の記録媒体によれば、保存した画像データに基づいて、表示部にオブジェクトを表示するとともに該オブジェクトのうち選択されたものの画像を再生表示する情報処理装置において、第１の選択モードを選択したときはオブジェクトの選択の際に、既に選択したオブジェクトの選択状態を解除し、新たに選択したオブジェクトを選択状態にし、選択したオブジェクトについて所定の画像再生表示を実行させることができる。また、第２の選択モードを選択したときは、前記オブジェクトの選択の際に、既に選択状態に有るオブジェクトのうち再度選択したものを除いて選択状態を維持するとともに、新たに選択したオブジェクトを選択状態にでき、第１の選択モード及び第２の選択モードのいずれか一方を選択できる。これにより、ユーザはその時々で利用に適した選択モードを選択することによって、オブジェクトの選択における操作性が向上することとなる。
【図面の簡単な説明】
【図１】本発明の第１の実施の形態に係る情報処理装置のハードウェア構成を示すブロック図である。
【図２】図１の情報処理装置の全体を示す斜視図である。
【図３】サムネイル画像の一覧表示の画面を示す図である。
【図４】３枚のサムネイル画像とさらにその内の１枚を拡大した拡大画像とを表示した画面を示す図である。
【図５】オブジェクトの「選択状態」及び「アクティブ状態」の識別表示を例示する図であり、（ａ）は、「選択状態」にあるオブジェクトと「アクティブ状態」にあるオブジェクトとが同一である場合を示し、（ｂ）は、「選択状態」にあるオブジェクトが複数存在し、そのうちの１つが「アクティブ状態」にもある場合を示し、（ｃ）は、「選択状態」にあるオブジェクトと「アクティブ状態」にあるオブジェクトとが夫々１つずつ別々に存在する場合を示す。
【図６】オブジェクトの「選択状態」及び「アクティブ状態」の識別表示を例示する図であり、（ａ）は、「アクティブ状態」にあるオブジェクトを立体表示で識別表示した例を示し、（ｂ）は「非選択状態」にあるオブジェクトを低輝度表示させた例を示し、（ｃ）はオブジェクトのタイトル領域の表示を省略した場合を示す。
【図７】サムネイル画像が表示された通常操作モードにおける、ペンのタップ操作によるサムネイル画像の選択の様子を示す図であり、（ａ）は、表示対象となるオブジェクトが１つだけの場合を示し、（ｂ）は、表示対象となるオブジェクトが複数ある場合を示す。
【図８】サムネイル画像が表示された操作モードにおける、ペンによるオブジェクトの範囲選択を示すものである。
【図９】操作モードにおける、ペンの軌跡に沿ったオブジェクトの選択である「軌跡選択」の例を示す図である。
【図１０】操作モードにおける、全てのオブジェクトの選択又は選択解除を示す図であるり、（ａ）は対象となるオブジェクトがアクティブオ状態にあるオブジェクト１つだけの場合を示し、（ｂ）は対象となるオブジェクトが選択状態かつアクティブ状態にあるオブジェクト１つだけの場合を示し、（ｃ）は対象となるオブジェクトが複数ある場合を示す。
【図１１】操作モードにおける、通常操作とは異なるオブジェクトの選択を示す図であり、（ａ）は対象となるオブジェクトが１つの場合を示し、（ｂ）は対象となるオブジェクトが複数である場合の一例を示し、（ｃ）は。対象となるオブジェクトが複数である場合の異なる例を示す。
【図１２】操作モードにおける、方向指示／実行キー２０４の操作によるアクティブ位置の変更を示す図である。
【図１３】操作モードから選択モードに移行した際の表示を示す図である。
【図１４】選択モードにおける、ペン２０２のタップ操作によるサムネイル画像の選択にともなう表示の変化を示す図である。
【図１５】選択モードにおける、ペン２０２を使った「範囲選択」でオブジェクトを選択する際の表示の変化を示す図であり、（ａ）はその一例を示し、（ｂ）は異なる例を示す。
【図１６】選択モードにおける、ペン２０２を使った「軌跡選択」でオブジェクトを選択する場合の表示の変化を示す図である。
【図１７】選択モードにおける、方向指示／実行キー２０４の操作でオブジェクトを選択する場合の表示の変化を示す図である。
【図１８】図３または図４における「選択モード」アイコン３０７の操作モード時と選択モード時との表示の相違を示す図である。
【図１９】本発明の第２の実施の形態にかかる情報処理装置において、選択モードから操作モードへ復帰する際の画面表示の変化を示す図である。
【図２０】従来の情報処理装置における、複数オブジェクトの選択手順を示す図である。
【符号の説明】
１００  ＰＤＡ
１０１  ＣＰＵ
１０２  ＲＯＭ
１０３  ＲＡＭ
１０４  表示部
１０５  入力部
１０６  メディア交換型記録部
２０２  スタイラスペン
３０６  表示モード
３０７  選択アイコン
【図１】
2004152171.tif 000003
【図２】
2004152171.tif 000004
【図３】
2004152171.tif 000005
【図４】
2004152171.tif 000006
【図５】
2004152171.tif 000007
【図６】
2004152171.tif 000008
【図７】
2004152171.tif 000009
【図８】
2004152171.tif 000010
【図９】
2004152171.tif 000011
【図１０】
2004152171.tif 000012
【図１１】
2004152171.tif 000013
【図１２】
2004152171.tif 000014
【図１３】
2004152171.tif 000015
【図１４】
2004152171.tif 000016
【図１５】
2004152171.tif 000017
【図１６】
2004152171.tif 000018
【図１７】
2004152171.tif 000019
【図１８】
2004152171.tif 000020
【図１９】
2004152171.tif 000021
【図２０】
2004152171.tif 000022